(57)【特許請求の範囲】
【請求項１】
親局と複数の子局との間及び複数の子局相互間の衛星通信回線を有し、親局から子局へはＴＤＭ方式による通信を行ない、子局から親局へはＴＤＭＡ方式による通信を行なう衛星通信制御システムにおいて、子局からの送信信号の量を監視すると共に、所定の子局からの送信信号が所定量を超えた時、あるいは子局から親局への送信回線の信号が混み合った時、ＴＤＭＡ回線とは別の連続波による専用回線を設定するための制御信号を所定の子局あるいは送信データ量の多い子局に多重送信する回線監視制御装置を親局に設け、子局にＴＤＭ回線信号と上記専用回線の信号とを分離する分配器と上記分配器に接続され、上記各回線信号をそれぞれ受信するためのＴＤＭ復調器及び専用回線復調器と、上記専用回線を設定する変調器と、上記制御信号受信時に上記専用回線復調器及び変調器に上記専用回線の周波数を設定して上記専用回線を設定すると共に、上記変調器を連続動作させて上記専用回線による上記親局へのデータ伝送を行なう制御部とを設けたことを特徴とする衛星通信制御システム。
【請求項２】
親局と複数の子局との間及び複数の子局相互間の衛星通信回線を有し、親局から子局へはＴＤＭ方式による通信を行ない、子局から親局へはＣＤＭＡ方式による通信を行なう衛星通信制御システムにおいて、子局からの送信信号の量を監視すると共に、所定の子局からの送信信号が所定量を超えた時、あるいは子局から親局への送信回線の信号が混み合った時、ＣＤＭＡ回線とは別の連続波による専用回線を設定するための制御信号を所定の子局あるいは送信データ量の多い子局に多重送信する回線監視制御装置を親局に設け、子局にＴＤＭ回線信号と上記専用回線の信号とを分離する分配器と上記分配器に接続され、上記各回線信号をそれぞれ受信するためのＴＤＭ復調器及び専用回線復調器と、上記専用回線を設定する変調器と、上記制御信号受信時に上記専用回線復調器及び変調器に上記専用回線の周波数を設定して上記専用回線を設定すると共に、上記変調器を連続動作させて上記専用回線による上記親局へのデータ伝送を行なう制御部とを設けたことを特徴とする衛星通信制御システム。
【請求項３】
回線監視制御装置が、子局間の通信信号量の増大を検出した時は、当該子局に連続波による双方向の専用回線を割り当てるようにしたことを特徴とする請求項１または請求項２記載の衛星通信制御システム。
【請求項４】
割り当てられた専用回線によってデータの伝送を行なった子局は、データの伝送が終了した時、あるいは専用回線のデータ伝送量が減少した時に専用回線を開放すると共に、回線監視制御装置にその旨を通知することを特徴とする請求項１〜請求項３のいずれか１項記載の衛星通信制御システム。
【請求項５】
割り当てられた専用回線によるデータ伝送を回線監視制御装置によって監視し、子局が、データの伝送を終了した時、あるいは専用回線のデータ伝送量が減少した時に、当該子局に対して専用回線の開放を要求するようにしたことを特徴とする請求項１〜請求項３のいずれか１項記載の衛星通信制御システム。
【請求項６】
専用回線の伝送速度を子局のデータ伝送量に応じて可変としたことを特徴とする請求項１〜請求項５のいずれか１項記載の衛星通信制御システム。
【請求項７】
専用回線を複数としたことを特徴とする請求項１〜請求項６のいずれか１項記載の衛星通信制御システム。
【発明の詳細な説明】
【０００１】
【発明の属する技術分野】
この発明は、衛星通信制御システム、特に子局から送信されるデータ量に応じて専用回線を自動的に割り当てる衛星通信制御システムに関するものである。
【０００２】
【従来の技術】
図５は、従来のＴＤＭ／ＴＤＭＡ方式による親局と、複数の子局（ｌ、ｍ、ｎ）間のデータ通信を行なうスター型の衛星通信システムを示す概略図である。
この図において、１００は通信衛星、１は親局に設置された回線制御装置、２は親局から子局への通信を行なうＴＤＭ方式による下り回線、３は子局から親局への通信を行なうＴＤＭＡ方式による上り回線である。
【０００３】
次に、従来の衛星通信システムの動作について説明する。
親局から子局への信号は、下り回線２によりＴＤＭ方式で送信され、各子局ｌ、ｍ、ｎはフレームの中のＩＤを検出することにより自局宛の信号を識別する。子局から親局への信号は、上り回線３によりＴＤＭＡ回線のタイムスロットに自局のＩＤを付与したバースト信号を送信することで伝送される。
子局相互間の信号、例えば子局ｌから子局ｍへの信号は、一旦、子局ｌから親局に送信を行ない、親局のルーティング装置によって、子局ｍへの信号と認識することにより、親局から子局ｍに送信することで、信号が伝送される。
【０００４】
【発明が解決しようとする課題】
従来のＴＤＭ／ＴＤＭＡ方式のデータ伝送は、以上のように構成されているため、特定の子局から送信される信号が多くなると、上り回線３をほとんど占有することになり、他の子局の送信でみるデータ量が制限される。また、複数の子局が多くの信号の送信を始めた時は、輻輳状態になり、システム全体のトラフィックが低下する。
この場合、特定の子局に専用のタイムスロット（専用チャンネル）を用意することにより、スループットを向上させることが考えられるが、ＴＤＭＡ通信では限界があった。
また、子局間の通信は、上述のように、親局を介して信号が伝送されるため、相手局からの応答が返るまで通信衛星の中継を２回行なう必要があり、伝送遅延が発生するなどの問題があった。
【０００５】
この発明は上記のような問題点を解消するためになされたもので、子局からの送信信号が多くなった時、子局に専用回線の割り当てを行ない、子局からの送信信号が高い信頼度で親局に伝送されるようにすること及び子局間の通信遅延が最も少なくなる回線制御システムを得ることを目的とする。
更に、子局からの専用回線の割り当て要求を行わずに、送信データ量により自動的に専用回線の割り当てを行なう衛星通信制御システムを得ることを目的とする。
【０００６】
【課題を解決するための手段】
この発明に係る衛星通信制御システムは、親局と複数の子局との間及び複数の子局相互間の衛星通信回線を有し、親局から子局へはＴＤＭ方式による通信を行ない、子局から親局へはＴＤＭＡ方式による通信を行なう衛星通信制御システムにおいて、子局からの送信信号の量を監視すると共に、所定の子局からの送信信号が所定量を超えた時、あるいは子局から親局への送信回線の信号が混み合った時、ＴＤＭＡ回線とは別の連続波による専用回線を設定するための制御信号を所定の子局あるいは送信データ量の多い子局に多重送信する回線監視制御装置を親局に設け、子局にＴＤＭ回線信号と上記専用回線の信号とを分離する分配器と上記分配器に接続され、上記各回線信号をそれぞれ受信するためのＴＤＭ復調器及び専用回線復調器と、上記専用回線を設定する変調器と、上記制御信号受信時に上記専用回線復調器及び変調器に上記専用回線の周波数を設定して上記専用回線を設定すると共に、上記変調器を連続動作させて上記専用回線による上記親局へのデータ伝送を行なう制御部とを設けたものである。
【０００７】
この発明に係る衛星通信制御システムは、また、親局と複数の子局との間及び複数の子局相互間の衛星通信回線を有し、親局から子局へはＴＤＭ方式による通信を行ない、子局から親局へはＣＤＭＡ方式による通信を行なう衛星通信制御システムにおいて、子局からの送信信号の量を監視すると共に、所定の子局からの送信信号が所定量を超えた時、あるいは子局から親局への送信回線の信号が混み合った時、ＣＤＭＡ回線とは別の連続波による専用回線を設定するための制御信号を所定の子局あるいは送信データ量の多い子局に多重送信する回線監視制御装置を親局に設け、子局にＴＤＭ回線信号と上記専用回線の信号とを分離する分配器と上記分配器に接続され、上記各回線信号をそれぞれ受信するためのＴＤＭ復調器及び専用回線復調器と、上記専用回線を設定する変調器と、上記制御信号受信時に上記専用回線復調器及び変調器に上記専用回線の周波数を設定して上記専用回線を設定すると共に、上記変調器を連続動作させて上記専用回線による上記親局へのデータ伝送を行なう制御部とを設けたものである。
【０００８】
この発明に係る衛星通信制御システムは、また、回線監視制御装置が、子局間の通信信号量の増大を検出した時は、当該子局に連続波による双方向の専用回線を割り当てるようにしたものである。
【０００９】
この発明に係る衛星通信制御システムは、また、割り当てられた専用回線によってデータの伝送を行なった子局は、データの伝送が終了した時、あるいは専用回線のデータ伝送量が減少した時に専用回線を開放すると共に、回線監視制御装置にその旨を通知するものである。
【００１０】
この発明に係る衛星通信制御システムは、また、割り当てられた専用回線によるデータ伝送を親局に設置された回線監視制御装置によって監視し、子局が、データの伝送を終了した時、あるいは専用回線のデータ伝送量が減少した時に、当該子局に対して専用回線の開放を要求するようにしたものである。
【００１１】
この発明に係る衛星通信制御システムは、また、専用回線の伝送速度を子局のデータ伝送量に応じて可変としたものである。
【００１２】
この発明に係る衛星通信制御システムは、また、専用回線を複数回線としたものである。
【００１３】
【発明の実施の形態】
実施の形態１．
以下、この発明の実施の形態１を図について説明する。図１は、実施の形態１において、子局ｌと親局との間に専用回線が設定された状態を示す概略図、図２は、実施の形態１において、他の子局ｍと親局との間に専用回線が設定された状態を示す概略図、図３は、実施の形態１において、子局相互間に双方向の専用回線が設定された状態を示す概略図である。
これらの図において、１００は通信衛星、１ａは親局に設置された回線監視制御装置、２は親局から子局への通信を行なうＴＤＭ方式による下り回線、３は子局から親局への通信を行なうＴＤＭＡ方式による上り回線、４は連続波による専用回線で、４ａは子局１から親局への連続波による専用回線、４ｂは同じく子局ｍから親局への連続波による専用回線、４ｃは子局ｌから子局ｎへの子局相互間の連続波による専用回線、５は監視回線である。
【００１４】
また、図４は、実施の形態１における子局の構成を示すブロック図である。
この図において、１１はアンテナから入力される受信信号をＴＤＭ回線信号と連続波による専用回線信号とに分離する分配器、８は親局からのデータ信号及び制御信号を受信するためのＴＤＭ復調器、９は子局間通信の連続波による専用回線信号を受信するための復調器、１０は送受信信号をＬＡＮなどに接続するインターフェース部、６は親局への信号伝送時にＴＤＭＡ変調器として動作し、連続波による専用回線を設定する時は連動動作変調器として動作する変調器、７は上述したＴＤＭ復調器８によって親局から受信した制御信号がインターフェース部１０を経て入力され、入力制御信号に応じて変調器６及び復調器９を制御する制御部である。
【００１５】
次に、実施の形態１の動作について説明する。親局の回線監視制御装置１ａは、各子局が送信する上り回線３のデータ量を監視しており、特定の子局、例えば子局ｌが送信する一定時間当たりのデータ量が所定量を超えた時は、その子局に対し、あるいは上り回線３のトラフィックが混み合った時は、送信データ量の多い子局に対し、連続波による専用回線を設定するための制御信号を下り回線２に多重して送信する。この制御信号は子局ｌにおいて図４の分配器１１を経てＴＤＭ復調器８で受信され、インターフェース部１０に送られる。
インターフェース部１０は、制御信号を認識し、制御部７に入力する。
制御部７は、この制御信号にもとづいて 変調器６と復調器９に指定された専用回線の周波数を設定して専用回線４ａを設定すると共に、変調器６を連続動作させて専用回線による親局へのデータ伝送を行なう。
これによって、上り回線３のトラフィックは軽減され、子局のデータ伝送時間が短縮される。
【００１６】
子局ｌは親局へのデータ伝送が終了した時、またはトラフィックが減少した時に、制御部７の制御により、専用回線４ａを開放して上り回線３に移行し、親局の回線監視制御装置１ａに専用回線４ａを開放したことを通知する。
他の子局、例えば子局ｍが送信する一定時間あたりのデータ量が所定量を超えた時は、上述した子局ｌと同様に、子局ｍに対して図２に示す専用回線４ｂが設定される。設定に至る手順は、子局ｌの場合と同様であるため、説明を省略する。
一方、子局間の通信トラフィックの増大を回線監視制御装置１ａが検知した時は、当該子局、例えば子局ｌと子局ｎに対して連続波による子局間通信用専用回線を設定するための制御信号を下り回線２に多重して送信し、各子局ｌとｎにおいては、上述の場合と同様に、変調器６と復調器９に子局間通信用専用回線の周波数を設定して、子局間の専用回線４ｃを設定する。各子局とも、データの送出は変調器６の連続動作によって行ない、受信は復調器９によって行なうことにより双方向のデータ通信が行なわれる。
なお、子局間の通信においても、トラフィックが減少した時に制御部７の制御により、専用回線４ｃを開放して上り回線３に移行し、親局の回線監視制御装置１ａに専用回線４ｃを開放したことを通知する。
【００１７】
実施の形態２．
上述した実施の形態１では、専用回線は１回線設けられるものであるが、専用回線を複数設けることにより、複数の子局が同時に利用できる構成とすることもできる。
【００１８】
実施の形態３．
また、上述した実施の形態１では、上り回線３をＴＤＭＡ方式による回線としているが、これをＣＤＭＡ方式による回線にしても実施の形態１と同様な効果を期待することができる。
【００１９】
実施の形態４．
また、上述した実施の形態１では、専用回線４の開放は、子局の制御部７によって制御されるものであるが、親局に設置された回線監視制御装置１ａが、監視回線５によって専用回線の監視を行ない、子局からのデータ伝送の終了時、あるいは専用回線のデータ伝送量の減少時に、子局に対する専用回線の開放要求を行なうようにすることもできる。
【００２０】
実施の形態５．
以上の各実施の形態における専用回線は、その伝送速度を子局のトラフィックに応じて可変とすることができる。これによって、衛星周波数帯域を有効に使用することが可能となる。
【００２１】
【発明の効果】
この発明の衛星通信制御システムは、親局と複数の子局との間及び複数の子局相互間の衛星通信回線を有し、親局から子局へはＴＤＭ方式による通信を行ない、子局から親局へはＴＤＭＡ方式による通信を行なう衛星通信制御システムにおいて、子局からの送信信号の量を監視すると共に、所定の子局からの送信信号が所定量を超えた時、あるいは子局から親局への送信回線の信号が混み合った時、ＴＤＭＡ回線とは別の連続波による専用回線を設定するための制御信号を所定の子局あるいは送信データ量の多い子局に多重送信する回線監視制御装置を親局に設け、子局にＴＤＭ回線信号と上記専用回線の信号とを分離する分配器と上記分配器に接続され、上記各回線信号をそれぞれ受信するためのＴＤＭ復調器及び専用回線復調器と、上記専用回線を設定する変調器と、上記制御信号受信時に上記専用回線復調器及び変調器に上記専用回線の周波数を設定して上記専用回線を設定すると共に、上記変調器を連続動作させて上記専用回線による上記親局へのデータ伝送を行なう制御部とを設けたものであるため、データ伝送時間を短縮することができる他、システムのトラフィック変動への対応が容易となる。
【００２２】
この発明の衛星通信制御システムは、また、子局から親局への通信をＣＤＭＡ方式としたため、ＴＤＭＡ方式の場合と同様に、データ伝送時間を短縮することができ、システムのトラフィック変動への対応が容易となる。
【００２３】
この発明の衛星通信制御システムは、また、回線監視制御装置が、子局間の通信信号量の増大を検出した時は、当該子局に連続波による双方向の専用回線を割り当てるようにしたため、専用回線の設定を自動的に行なうことができると共に、子局間の通信遅延を改善することができる。
【００２４】
この発明の衛星通信制御システムは、また、割り当てられた専用回線によってデータの伝送を行なった子局は、データの伝送が終了した時、あるいは専用回線のデータ伝送量が減少した時に専用回線を開放すると共に、回線監視制御装置にその旨を通知するようにしたため、専用回線を効率よく利用することができる。
【００２５】
この発明の衛星通信制御システムは、また、割り当てられた専用回線によるデータ伝送を回線監視制御装置によって監視し、子局が、データの伝送を終了した時、あるいは専用回線のデータ伝送量が減少した時に、当該子局に対して専用回線の開放を要求するようにしたため、回線監視機能を親局にまとめることができると共に、システムのトラフィック変動への対応が容易となる。
【００２６】
この発明の衛星通信制御システムは、また、専用回線の伝送速度を子局のデータ伝送量に応じて可変としたため、衛星周波数帯域を有効に使用することができる。
【００２７】
この発明の衛星通信制御システムは、また、専用回線を複数としたため、複数の子局に同時に専用回線を割り当てることができる。
【図面の簡単な説明】
【図１】  この発明の実施の形態１において、子局と親局との間に専用回線が設定された状態を示す概略図である。
【図２】  実施の形態１において、他の子局と親局との間に専用回線が設定された状態を示す概略図である。
【図３】  実施の形態１において、子局相互間に双方向の専用回線が設定された状態を示す概略図である。
【図４】  実施の形態１における子局の構成を示すブロック図である。
【図５】  従来のＴＤＭ／ＴＤＭＡ方式による親局と複数の子局間のデータ通信を行なうスター型の衛星通信システムを示す概略図である。
【符号の説明】
１ａ  回線監視制御装置、２  下り回線、３  上り回線、
４ａ、４ｂ、４ｃ  専用回線、５  監視回線、
６  ＴＤＭＡ／連続動作   変調器、７  制御部、８  ＴＤＭ復調器、
９  専用回線 復調器、１０  インターフェース部、１１  分配器、
１００  通信衛星。
【図１】
0003647713.tif 000002
【図２】
0003647713.tif 000003
【図３】
0003647713.tif 000004
【図４】
0003647713.tif 000005
【図５】
0003647713.tif 000006